(57)【特許請求の範囲】
【請求項１】
蓄養装置（Ａ）には、蓄養水槽（１６）、フイルター（１７）、濾過槽（１８）及び循環槽（１９）を以って一体的に構成し、該循環槽（１９）には、軸流ポンプ（１）と併設して第２補助ポンプ（２０）を立設し、該軸流ポンプ（１）には、上部にモーター部（２）と、下部の内部にインペラ（１２）を設けた回転軸（１１）を収納した揚水管（３）を立設し、該揚水管（３）には、外周の略下方に連通管（８）を接続し、該連通管（８）には、先端に縦設する安全筒（５）の下端を接続し、該安全筒（５）には、内部に通電筒（６）を立設すると共に、該通電筒（６）の所定位置に間隔を設けて上下にストツパー（９）（９）を装設し、且つ該ストツパー（９）（９）の間に浮体昇降レベルスイツチ（７）を装設し、該浮体昇降レベルスイツチ（７）は、該通電筒（６）を下降すると近接スイツチ（２４）が作動し、電源コード（２２）による制御器（１０）によって第２補助ポンプ（２０）を操作することを特徴とする蓄養装置における軸流ポンプの安全装置。
【発明の詳細な説明】
【０００１】
【産業上の利用分野】
本発明は、各種の活魚を飼育する蓄養装置に使用する軸流ポンプの故障等による水流の循環が不能状態になつた時に自動的に切り換えて、循環水を正常にして蓄養できるようにした蓄養装置における軸流ポンプの安全装置に関するものである。
【０００２】
【従来の技術】
従来この種の蓄養装置に使用する軸流ポンプとしては、一台の軸流ポンプを使用するか、又は軸流ポンプをもう一台予備として二台並設して使用するもの等が知られている。
【０００３】
【発明が解決しようとする課題】
上記で述べたもののうち前者においては、一台の軸流ポンプで埃物等よる詰まりや故障等が生じて循環水が蓄養槽に送水できなくなつた時には、蓄養水槽内の活魚類等が簡単に死別する等の問題点がる。
また、後者における二台の軸流ポンプを設置した場合には、一台が故障等した場合、二台目の軸流ポンプを作動させれば何等障害は生じないが、夜間等に故障が生じた場合や故障を知ることができない場合等、二台目への切り換えができない時があると云う不便な問題点がある。
本発明は、上記従来の問題点に鑑みてなされたもので、その主たる目的とする所は、軸流ポンプの揚水管に隣接して連通する安全筒を立設する。この安全筒の内部に浮体昇降レベルスイツチを収納し、揚水管が故障等で揚水しない場合は揚水管内の水位が下がると共に、該安全筒内の浮体昇降レベルスイツチも降下して近接スイツチが作動し、制御器に通電して自動的に二台目の軸流ポンプを作動させることによつて、活魚類等を死別から保護する蓄養装置における軸流ポンプの安全装置を提供しようとするものである。
【０００４】
【課題を解決するための手段】
上記目的を達成するために、本発明における軸流ポンプの安全装置は、上部のモーター部と内部にインペラを設けた回転軸を収納した揚水管と、その揚水管の略下方位置に連通管を介在して縦方向に安全筒を縦設する。そして、この安全筒の内部に通電の役目をする通電軸を立設し、この通電軸に案内される浮体昇降レベルスイツチを装設する。この浮体昇降レベルスイツチは、昇降によつて切り換えすると共に、電源コードを介した制御器によつて、他の正常な軸流ポンプに接続するものである。
【０００５】
【作用】
本発明は上記の如き構成からなり、今この発明の作動状態を説明すると、図３に示す如く、蓄養装置（Ａ）における軸流ポンプ（１）は、蓄養装置（Ａ）が正常に作動している場合は、循環水は槽内の揚水管（３）内をインペラ（１２）より吸い上げて吐出口（１４）より蓄養水槽（１６）に送り出される。この時、連通している安全筒（５）内の水位も上昇し、内部の浮体昇降レベルスイツチ（７）も上昇して一台目の軸流ポンプ（１）に正常な通電をしている。
次に、軸流ポンプ（１）が故障等により揚水力がなくなり、水位が下がつて循環水が蓄養水槽（１６）に流入しなくなると同時に、下方より連通している安全筒（５）内の位置も下がり、それと共に浮体昇降レベルスイツチ（７）も水圧等の変化のために下降し、通電筒（６）より電源コード（２２）を通じて浮体昇降レベルスイツチ（７）がＯＮとなつて異常記号を出し、制御器（１０）の作動によつて二台目の軸流ポンプを作動して循環を正常に操作し、活魚等を安全に蓄養するものである。
【０００６】
【実施例】
次に、本発明の実施例を図面について説明すると、蓄養装置（１）は各種の活魚等を飼育できる適宜な大きさで、合成樹脂及びコンクリート等の構成材料を以て各種方形状等に形成される。この蓄養装置（１）には一応、蓄養水槽（１６）、フイルター槽（１７）、濾過槽（１８）及び循環槽（１９）等を以て一体的に構成される。該循環槽（１９）には、軸流ポンプ（１）と第２補助ポンプ（２０）を立設配置してある。
【０００７】
前記軸流ポンプ（１）には、図２、図３に示す如く、上部にモーター部（２）と該モーター部（２）の下部の内部にインペラ（１２）を設けた回転軸（１１）を収納した揚水管（３）を立設してある。該揚水管（３）には外周の略下方に連通管（８）を接続し、この連通管（８）には先端に縦設した安全筒（５）の下端を立設接続する。
【０００８】
該安全筒（５）には、内部にスイツチの役目をする案内用の非磁性体よりなる通電筒（６）を立設してある。該通電筒（６）には、所定位置に間隔を設けて上下にストツパー（９）（９）を装設してある。そして、該ストツパー（９）（９）の間で案内用の該通電筒（６）の外周を昇降作動する浮体昇降レベルスイツチ（７）を装設してある。該浮体昇降レベルスイツチ（７）は、例えば図４、図５に示す如く、内部に磁石を有し、該通電筒（６）の内部には近接スイツチ（２４）が位置し、軸流ポンプ（１）の内部を流通水が通過している時には、図４の如く該磁石（２３）と該通電筒（６）の内部の近接スイツチ（２４）が上昇して離れているため、接点は作動せずにＯＦＦ状態を維持して流水している。
次に、流通水が故障等で軸流ポンプ（１）内を通過しない場合は、浮体昇降レベルスイツチ（７）が図５の如く下降状態となり、内部の磁石（２３）が図５に示すように該通電筒（６）の内部の近接スイツチ（２４）と接近、又は通過する際に近接スイツチ（２４）が作動して接点をＯＮにし、電源コード（２２）による制御器（１０）によつて二台目の第２補助ポンプ（２０）を操作するものである、符号（１３）は該揚水管（３１の下端の吸入口を示し、（１４）は軸流ポンプ（１）の吐出筒の先端の吐出口を示したものである。また、（２１）は揚水管（３）に安全筒（５）を固定するための接続体を示したものである。
【０００９】
【発明の効果】
本発明は以上説明したように、蓄養装置における軸流ポンプの安全装置によれば、従来の循環用軸流ポンプの如く、故障又は災害等によつてポンプが作動しない場合でも、自動的に補助ポンプを常時作動して蓄養水槽内の循環濾過をするため、活魚等の死亡を完全に防止することができる便利で優れた効果がある、そして、揚水管に隣接して安全筒を一体的に装設して小型化され、現場での設置が大変に容易となる効果がある。また、安全筒には内部に通電筒を立設し、この通電筒に案内されて昇降する浮体昇降レベルスイツチを装設しているので、軸流ポンプが事故等で水揚げしない場合には、揚水管の水位の低下と共に浮体昇降レベルスイツチも確実に下降して浮体昇降レベルスイツチを作動し、補助ポンプに切り換えて作動するため、流水を確実に循環して活魚等を安全に保護できると云う優れた効果がある。
【図面の簡単な説明】
【図１】本発明の安全装置を使用している例の蓄養装置の平面図である。
【図２】同じく本発明の一部欠除した要部の縦断側面図である。
【図３】同じく本発明の要部の拡大縦断側面図である。
【図４】本発明に使用する一例の浮体昇降レベルスイツチの一部欠除した縦断側面図である。
【図５】同じく図４の状態より浮体昇降レベルスイツチがＯＮになつた瞬間の状態を示す縦断側面図である。
【符号の説明】
Ａ          蓄養装置
１          軸流ポンプ
２          モーター部
３          揚水管
５          安全筒
６          通電筒
７          浮体昇降レベルスイツチ
８          連通管
９          ストツパー
１０        制御器
１１        回転軸
１２        インペラ
１４        吐出口
１６        蓄養水槽
２０        第２補助ポンプ
２３        磁石
２４        近接スイツチ
【図１】
0003840620.tif 000002
【図２】
0003840620.tif 000003
【図３】
0003840620.tif 000004
【図４】
0003840620.tif 000005
【図５】
0003840620.tif 000006